(57)【要約】【課題】商品を直立させて、正面が見えやすく安定感のある状態で陳列することができ、取扱性にも優れた吊下式陳列具を提供する。【解決手段】商品を保持する複数個のトレー１，２を前後に配置して上下方向にスライド自在に連結し、前方のトレー１に対し後方のトレー２が上方へスライドするように吊り下げて陳列する吊下式陳列具において、前方のトレー１に、その両側壁から後方のトレー２の後部まで延びる補間部材３を設け、前方のトレー１と後方のトレー２とを揃えるようにスライドさせたとき、後方のトレー２が補間部材３の内側に収納されるようにする。陳列状態では、補間部材３が陳列什器の壁面に沿って各トレー１，２の前方への傾きが防止され、トレー１，２を揃えて運搬する際には、奥行きのある補間部材３に手を掛けて、バランスよく持ち上げることができる。【選択図】図１
2009183392.tif 000002
【特許請求の範囲】
【請求項１】
商品を保持する複数個のトレー(1,2)を前後に配置して上下方向にスライド自在に連結し、前方のトレー(1)に対し後方のトレー(2)が上方へスライドするように吊り下げて陳列する吊下式陳列具において、前方のトレー(1)に、その両側壁から後方のトレー(2)の後部まで延びる補間部材(3)を設け、前方のトレー(1)と後方のトレー(2)とを揃えるようにスライドさせたとき、後方のトレー(2)が補間部材(3)の内側に収納されるようにしたことを特徴とする吊下式陳列具。
【発明の詳細な説明】
【技術分野】
【０００１】
この発明は、商品を保持する複数個のトレーを連結して、吊り下げた状態で陳列する陳列具に関するものである。
【背景技術】
【０００２】
従来、下記特許文献１には、図８に示すように、複数個のトレー５１を前後に配置し、前方のトレー５１に立設した背板５２の後面を後方のトレー５１の前面に沿わせ、背板５２に設けた上下方向のガイド穴５３に、後方のトレー５１の前面に固定したピン５４をスライド自在に挿入して、トレー５１同士を連結したものが記載されている。
【０００３】
このような陳列具により店頭で商品を陳列する際には、トレー５１の上面開口部に商品を挿入し、前方のトレー５１に対し後方のトレー５１を上方へスライドさせた状態で、最後方のトレー５１に繋いだ吊紐５５により、陳列什器の突出棒から陳列具を吊り下げ、各トレー５１の商品が店内の客から見えるようにする。
【０００４】
また、陳列具と共に商品を小売店へ配送する際には、前方のトレー５１に対し後方のトレー５１を下方へスライドさせ、前後のトレー５１を揃えて、嵩を低くした状態で外箱に収納し、輸送コストを抑制することとしている。
【０００５】
【特許文献１】特開平１０−１５１０４８号公報
【発明の開示】
【発明が解決しようとする課題】
【０００６】
しかしながら、上記のような陳列具では、店頭で吊り下げて陳列する際、各トレーが前方へ傾き、これに伴い、商品も前方へ傾くので、不安定な印象を与えるほか、店内の客から商品の正面部分が見えにくいという問題がある。
【０００７】
また、輸送時の梱包作業や店頭での陳列作業に伴い、陳列具を運搬する際、中間や後方のトレーに手を掛けて陳列具を持ち上げようとすると、トレー同士が不意に相対的にスライドしてしまい、取り扱いにくいという問題もある。
【０００８】
そこで、この発明は、商品を直立させて、正面が見えやすく安定感のある状態で陳列することができ、取扱性にも優れた吊下式陳列具を提供することを課題とする。
【課題を解決するための手段】
【０００９】
上記のような課題を解決するため、この発明は、商品を保持する複数個のトレーを前後に配置して上下方向にスライド自在に連結し、前方のトレーに対し後方のトレーが上方へスライドするように吊り下げて陳列する吊下式陳列具において、前方のトレーに、その両側壁から後方のトレーの後部まで延びる補間部材を設け、前方のトレーと後方のトレーとを揃えるようにスライドさせたとき、後方のトレーが補間部材の内側に収納されるようにしたのである。
【発明の効果】
【００１０】
この発明に係る吊下式陳列具では、店頭で吊り下げて商品を陳列する際、前方のトレーに対し後方のトレーが上方へスライドしても、補間部材が前方のトレーから後方へ延びた状態で残り、陳列什器の壁面に沿うので、各トレーの前方への傾きが防止され、商品を直立させて、正面が見えやすく安定感のある状態で陳列することができる。
【００１１】
また、輸送時の梱包作業や店頭での陳列作業に伴い、前方のトレーと後方のトレーとを揃えた状態で運搬する際、奥行きのある補間部材に手を掛けて、バランスよく持ち上げることができ、トレーが不意に相対的にスライドすることもないので、梱包作業や陳列作業を容易に行うことができる。
【発明を実施するための最良の形態】
【００１２】
以下、この発明の実施形態を添付図面に基づいて説明する。
【００１３】
この発明に係る吊下式陳列具は、図１乃至図３に示すように、商品を保持する２個のトレー１，２を前後に配置して上下方向にスライド自在に連結し、前方のトレー１に補間部材３を設け、前方のトレー１に対し後方のトレー２を上方へスライドさせた状態で、後方のトレー２に繋いだ吊紐４で吊り下げて陳列するようにしたものである。
【００１４】
トレー１は、図４に示す段ボールのブランクから形成される。このブランクでは、前面板１１の両側に側面板１２が連設され、一方の側面板１２に後面板１３及び継代片１４が順次連設されている。前面板１１、側面板１２及び後面板１３の下端には、それぞれ底面板１５ａ，１５ｂ，１５ｃが連設されている。
【００１５】
前面板１１は、後面板１３よりも背が低く、商品の視認性を考慮して、上端中間部が切り欠かれている。前面板１１の上端には、同形状の内前板１１ａが対称に連設され、その先端に内底板１５ｄが連設されている。側面板１２の前側には傾斜縁が設けられ、後面板１３の上端には、内後板１３ａが連設されている。
【００１６】
後面板１３の両側部には、上下方向に延びるガイド穴１６が設けられ、内後板１３ａには、ガイド穴１６に対応する切込が入れられている。底面板１５ｃには、後面板１３への切込により差込片１７が設けられ、その中間部には、組立時に屈伸させる折目として、幅方向の罫線が入れられている。
【００１７】
トレー２は、図５に示す段ボールのブランクから形成される。このブランクでは、前面板２１の両側に側面板２２が連設され、一方の側面板２２に後面板２３及び継代片２４が順次連設されている。前面板２１、側面板２２及び後面板２３の下端には、それぞれ底面板２５ａ，２５ｂ，２５ｃが連設されている。
【００１８】
前面板２１は、後面板２３よりも背が低く、商品の視認性を考慮して、上端中間部が切り欠かれている。前面板２１の上端には、同形状の内前板２１ａが対称に連設され、その先端に内底板２５ｄが連設されている。
【００１９】
前面板２１及び内前板２１ａには、境界を挟んでビス穴２６が対称な位置に設けられ、内前板２１ａの中間部には、組立時に屈伸させる折目として、幅方向の罫線が入れられている。各側面板２２の上部には、紐穴２７が設けられている。
【００２０】
補間部材３は、図６に示す段ボールのブランクから形成される。このブランクでは、後面板３１の両側に側面板３２が連設され、側面板３２の前側には、トレー１の側面板１２と同様の傾斜縁が設けられている。組立時に奥行きとなる側面板３２の幅は、トレー１，２の側面板１２，２２の幅の和よりも若干大きくなっている。
【００２１】
後面板３１の下端には、底面板３３及び先折板３４が順次連設され、底面板３３と先折板３４の境界中央部には、差込穴３５が設けられている。また、側面板３２の後部下端には、側折片３６が連設されている。
【００２２】
いま、図７に示すように、トレー１をブランクから組み立てるには、前面板１１、一対の側面板１２及び後面板１３を角筒状に折り曲げ、継代片１４を反対側の側面板１２に貼り付け、底面板１５ａ，１５ｂ，１５ｃを噛み合わせる。
【００２３】
その後、内前板１１ａを内側下方へ折り曲げて前面板１１に重ね、内底板１５ｄを後方へ折り曲げて底面板１５ａ，１５ｂ，１５ｃの上面に重ね、内後板１３ａを内側下方へ折り曲げて後面板１３に貼り付ける。
【００２４】
また、トレー２をブランクからを組み立てるには、前面板２１、一対の側面板２２及び後面板２３を角筒状に折り曲げ、継代片２４を反対側の側面板２２に貼り付け、底面板２５ａ，２５ｂ，２５ｃを噛み合わせる。
【００２５】
その後、内前板２１ａを内側下方へ折り曲げて前面板２１に重ね、内底板２５ｄを後方へ折り曲げて底面板２５ａ，２５ｂ，２５ｃの上面に重ねる。このとき、前面板２１と内前板２１ａのビス穴２６が一致する。
【００２６】
そして、陳列具を組み立てるには、トレー１，２を前後に並べ、図１、図２及び図７に示すように、プラスチック製のビス５をガイド穴１６及びビス穴２６に挿通して、トレー２に固定し、トレー１，２をガイド穴１６に沿ってスライド自在に連結する。
【００２７】
また、補間部材３のブランクにおいて、後面板３１から両側の側面板３２及び底面板３３を前方へ折り曲げ、側折片３６を内側へ、先折板３４を上方へ折り曲げる。
【００２８】
次に、対向する側面板３２の内側にトレー１，２を挿入し、トレー１と補間部材３の前縁位置を合わせた状態で、トレー１の側面板１２の外面と、補間部材３の側面板３２の内面とを貼り合わせ、差込穴３５に差込片１７を差し込む。
【００２９】
さらに、トレー１，２の内部に商品の挿入口を有する保持枠６，７をそれぞれ設置し、紐穴２７に吊紐４を挿通して結び付け、トレー１，２の上方には、訴求性を高めるため、吊紐４を挿通して広告パネル８を取り付ける。
【００３０】
このような陳列具により店頭で商品を陳列する際には、トレー１，２の保持枠６，７に商品を挿入し、図１及び図２に示すように、トレー１に対しトレー２を上方へスライドさせた状態で、トレー２に繋いだ吊紐４により、陳列什器の突出棒から陳列具を吊り下げ、トレー１，２に保持された商品が店内の客から見えるようにする。
【００３１】
このとき、トレー１の後方下部にはトレー２がなくなるため、紐穴２７を中心としてトレー１，２が前方へ傾こうとするモーメントが発生するが、トレー１から後方へ延びた補間部材３が陳列什器の壁面に沿うので、トレー１，２の前方への傾きが防止され、商品を直立させて、正面が見えやすく安定感のある状態で陳列することができる。
【００３２】
一方、輸送時の梱包作業や店頭での陳列作業に伴い、陳列具を運搬する際には、図３に示すように、トレー１に対しトレー２を下方へスライドさせて、トレー１，２の高さを揃えると、トレー２が補間部材３の内側に収納され、トレー２の底面が補間部材３の底面板３３に着座した嵩の低い状態となる。
【００３３】
このような状態では、奥行きのある補間部材３に手を掛けて、陳列具をバランスよく持ち上げることができ、このとき、トレー１，２が不意に相対的にスライドすることもないので、梱包作業や陳列作業を容易に行うことができる。
【００３４】
なお、上記実施形態では、トレーを２個連結したものを例示したが、３個以上のトレーを連結して、補間部材３が最も前方のトレーの側面板から最後方のトレーの後部まで延びるようにしてもよい。
【００３５】
また、ガイド穴１６を２本設け、これに応じてビス５を２個設けたものを例示したが、ガイド穴１６を１本又は３本以上とし、これに応じてビス５を１個又は３個以上設けるようにしてもよい。
【００３６】
また、前方のトレー１に形成したガイド穴１６に、後方のトレー２の前面に固定したビス５をスライド自在に挿通するものを例示したが、これを逆にして、後方のトレー２に形成したガイド穴１６に、前方のトレー１の後面に固定したビス５をスライド自在に挿通するようにしてもよく、これらの類型を組み合わせてもよい。
【００３７】
また、トレー１，２をプラスチック製のビス５で連結したものを例示したが、前面板２１又は後面板１３に切り起こしによる係合片を形成し、この係合片をガイド穴１６にスライド自在に係合させるようにしても、同様の機能の陳列具を構成することができる。
【００３８】
さらに、トレー１と補間部材３とが別体となったものを例示したが、トレー１と補間部材３とを一体に形成することもでき、補間部材３は、側面板３２以外の部分を省略することもできる。
【００３９】
そのほか、トレー１，２の周壁が四角筒状になったものを例示したが、前方のトレー１の後面と後方のトレー２の前面とが接する構成であれば、トレー１，２は、周壁が六角筒や八角筒等の多角筒状となるものとしてもよい。
【００４０】
また、吊紐４で吊り下げるものを例示したが、後方のトレー２の上部をフック状の形状とし、吊紐４を使用することなく、陳列什器に直接吊り下げるようにしてもよい。
【図面の簡単な説明】
【００４１】
【図１】この発明に係る吊下式陳列具の陳列状態を示す斜視図
【図２】同上の縦断側面図
【図３】同上の前後のトレーを揃えた状態を示す斜視図
【図４】同上の前方のトレーのブランクを示す図
【図５】同上の後方のトレーのブランクを示す図
【図６】同上の補間部材のブランクを示す図
【図７】同上のトレーと補間部材の組立過程を示す分解斜視図
【図８】従来の吊下式陳列具の陳列状態を示す斜視図
【符号の説明】
【００４２】
１，２  トレー
３  補間部材
４  吊紐
５  ビス
６，７  保持枠
８  広告パネル
１１  前面板
１２  側面板
１３  後面板
１４  継代片
１５ａ，１５ｂ，１５ｃ  底面板
１５ｄ  内底板
１６  ガイド穴
１７  差込片
２１  前面板
２２  側面板
２３  後面板
２４  継代片
２５ａ，２５ｂ，２５ｃ  底面板
２５ｄ  内底板
２６  ビス穴
２７  紐穴
３１  後面板
３２  側面板
３３  底面板
３４  先折板
３５  差込穴
３６  側折片
【図１】
2009183392.tif 000003
【図２】
2009183392.tif 000004
【図３】
2009183392.tif 000005
【図４】
2009183392.tif 000006
【図５】
2009183392.tif 000007
【図６】
2009183392.tif 000008
【図７】
2009183392.tif 000009
【図８】
2009183392.tif 000010